(57)【要約】【課題】            回転カムを操作した際の回転抵抗を小さくできる上、回転カム前端の係止凹部とリフィール後端のスライド駒との係脱性を損なうことのない回転繰出し式筆記具を提供する。【解決手段】        回転カム５０に押し上げられた際のスライド駒２１を前記回転カム５０の傾斜面５１前端側の係止凹部５２に係止して、リフィール３１，３２前端の筆記部３１ａ，３２ａを突出状態に維持するようにした回転繰出し式筆記具であって、前記係止凹部５２は、軸筒後方へ凹んだ底部５２ａと、該底部５２ａの端部側で軸筒前方へ突出するとともに前記傾斜面５１に連続する突縁部５２ｂとを有し、前記スライド駒２１は、前記傾斜面５１によって押し上げられて移動し、更に前記突縁部５２ｂによって押し上げられる際に、前記突縁部５２ｂとの接触箇所を後方へ滑らせるように形成されている。【選択図】          図１
2009154458.tif 000002
【特許請求の範囲】
【請求項１】
軸筒と、該軸筒内で前後方向へスライドするように設けられたスライド駒と、前記スライド駒の前端側に接続されたリフィールと、前記スライド駒を軸筒後方へ付勢する付勢部材と、軸筒内で回動する傾斜面によって前記スライド駒を軸筒前方へ押し上げる回転カムとを備え、前記回転カムに押し上げられた際の前記スライド駒を前記傾斜面前端側の係止凹部に係止して、前記リフィール前端の筆記部を突出状態に維持するようにした回転繰出し式筆記具であって、
前記係止凹部は、軸筒後方へ凹んだ底部と、該底部の端部側で軸筒前方へ突出するとともに前記傾斜面に連続する突縁部とを有し、
前記スライド駒は、前記傾斜面によって押し上げられて移動し、更に前記突縁部によって押し上げられる際に、前記突縁部との接触箇所を後方へ滑らせるように形成されていることを特徴とする回転繰出し式筆記具。
【請求項２】
前記スライド駒は、前記傾斜面に対向する対向面を有し、この対向面の前端側を前記傾斜面に対し略点接触し、その点接触箇所を前記突縁部に押し上げられる際に後端側へ滑らせるように形成されていることを特徴とする請求項１記載の回転繰出し式筆記具。
【請求項３】
前記スライド駒は、前記傾斜面に対向する対向面を有し、
この対向面は、軸筒周方向に対する傾斜角度が前記傾斜面の軸筒周方向に対する傾斜角度よりも小さい直線状に形成された直線状面部と、該直線状面部の前端側に接続されて前記傾斜面から離間する方向へ延設された逃げ面部とを有し、これら直線状面部と逃げ面部との間の箇所を前記傾斜面に対し略点接触し、その点接触箇所を、前記突縁部に押し上げられる際に前記直線状面部側へ滑らせるようにしていることを特徴とする請求項１記載の回転繰出し式筆記具。
【請求項４】
複数種類のリフィールを具備した回転繰出し式筆記具であって、
前記複数種類のリフィールの内、少なくとも一つのリフィールに対応する前記スライド駒について、前記対向面における滑り方向の長さを他のものと異なるようにしたことを特徴とする請求項２又は３記載の回転繰出し式筆記具。
【請求項５】
前記回転カムは、前記突縁部が略円弧状に形成され、この円弧状の突縁部の一端側を前記傾斜面の前端に接続するとともに、同突縁部の他端側を前記係止凹部の底面へ向けていることを特徴とする請求項１乃至４何れか１項記載の回転繰出し式筆記具。
【発明の詳細な説明】
【技術分野】
【０００１】
本発明は、回転操作されることによりリフィール前端の筆記部を軸筒から突出させる回転繰出し式筆記具に関し、特に、複数のボールペン用リフィールやシャープペンシル用リフィールを単一の軸筒内に備え、これらリフィールの筆記部を回転操作により選択的に出没させるのに好適な回転繰出し式筆記具に関するものである。
【背景技術】
【０００２】
従来、この種の回転繰出し式筆記具は、例えば、シャープペンシル用リフィール一本、及びボールペン用リフィール二本等、計三本のリフィールを具備したものが一般的である。
この従来の回転繰出し式筆記具によれば、山形の回転カムが回転操作されることにより、該回転カムの傾斜面がリフィール後端のスライド駒を軸筒前方へ押し上げる。したがって、リフィール前端の筆記部が、軸筒前端の先口から突出することになる。
【０００３】
ところで、前記従来の構成において、仮に、計四本のリフィールを具備した構成とした場合には、軸筒が太くなりすぎないように前記回転カムの傾斜面の角度を比較的急勾配にする必要が生じる。したがって、前記回転カムの回転抵抗が大きくなり、操作感を低下させてしまうおそれがある。
より詳細に説明すれば、図５に示すように、回転カム１１０を回転させると、スライド駒１２０が相対的に回転カム１１０の傾斜面１１０ａを上るようにして移動する。回転カム１１０を回転させるのに必要な力は、傾斜面１１０ａの傾斜角度ａが急であるほど大きくなる。また、スライド駒１２０が図示しない圧縮スプリングにより後方へ付勢されているため、前記回転力は、スライド駒１２０が、傾斜面１１０ａの前端側（換言すれば山形の回転カム１１０の頂部側）に近づくほど、大きくなる。特に、スライド駒１２０が、回転カム１１０前端の係止凹部１１１に係止される手前で、係止凹部１１１の縁部分１１１ａを乗り越える際（図５によれば、スライド駒１２０が実線で示す位置にある際）に、回転カム１１０の回転抵抗が最大になる。
そのため、回転カム１１０を回転させる際の操作感が低下したり、強引に回転カム１１０を回そうしたことに起因して、スライド駒１２０が係止凹部１１１に係止されず該係止凹部１１１を乗り越えてしまったり等の問題を生じる場合がある。
【０００４】
そこで、例えば、特許文献１に記載された発明では、前記傾斜面（端面２２ｃ（カム面））の前端側の傾斜角度を緩くして、回転カム（カム本体２２）の回転抵抗を小さくするようにしている。
しかしながら、特許文献１の発明では、山形の回転カムにおける両側の傾斜面（端面２２ｃ，２２ｃ）について前記のように前端側の傾斜角度を緩くしているため、係止凹部（２２ｄ）の幅が狭くなり、ひいては、該係止凹部にスライド駒を係止した際の安定性が低下したり、スライド駒が係止凹部に係止されず該係止凹部を乗り越えてしまったり等のおそれがある。
【特許文献１】特開２００５−１６１８２９号公報
【発明の開示】
【発明が解決しようとする課題】
【０００５】
本発明は上記従来事情に鑑みてなされたものであり、その課題とする処は、回転カムを操作した際の回転抵抗を小さくできる上、回転カム前端の係止凹部とリスライド駒との係合性を損なうことのない回転繰出し式筆記具を提供することにある。
【課題を解決するための手段】
【０００６】
上記課題を解決するための技術的手段は、軸筒と、該軸筒内で前後方向へスライドするように設けられたスライド駒と、前記スライド駒の前端側に接続されたリフィールと、前記スライド駒を軸筒後方へ付勢する付勢部材と、軸筒内で回動する傾斜面によって前記スライド駒を軸筒前方へ押し上げる回転カムとを備え、前記回転カムに押し上げられた際の前記スライド駒を前記傾斜面前端側の係止凹部に係止して、前記リフィール前端の筆記部を突出状態に維持するようにした回転繰出し式筆記具であって、前記係止凹部は、軸筒後方へ凹んだ底部と、該底部の端部側で軸筒前方へ突出するとともに前記傾斜面に連続する突縁部とを有し、前記スライド駒は、前記傾斜面によって押し上げられて移動し、更に前記突縁部によって押し上げられる際に、前記突縁部との接触箇所を後方へ滑らせるように形成されていることを特徴とする。
【０００７】
更なる技術的手段では、前記スライド駒は、前記傾斜面に対向する対向面を有し、この対向面の前端側を前記傾斜面に対し略点接触し、その点接触箇所を前記突縁部に押し上げられる際に後端側へ滑らせるように形成されていることを特徴とする。
【０００８】
更なる技術的手段では、前記スライド駒は、前記傾斜面に対向する対向面を有し、この対向面は、軸筒周方向に対する傾斜角度が前記傾斜面の軸筒周方向に対する傾斜角度よりも小さい直線状に形成された直線状面部と、該直線状面部の前端側に接続されて前記傾斜面から離間する方向へ延設された逃げ面部とを有し、これら直線状面部と逃げ面部との間の箇所を前記傾斜面に対し略点接触し、その点接触箇所を、前記突縁部に押し上げられる際に前記直線状面部側へ滑らせるようにしていることを特徴とする。
【０００９】
更なる技術的手段では、複数種類のリフィールを具備した回転繰出し式筆記具であって、前記複数種類のリフィールの内、少なくとも一つのリフィールに対応する前記スライド駒について、前記対向面における滑り方向の長さを他のものと異なるようにしたことを特徴とする。
【００１０】
更なる技術的手段では、前記回転カムは、前記突縁部が略円弧状に形成され、この円弧状の突縁部の一端側を前記傾斜面の前端に接続するとともに、同突縁部の他端側を前記係止凹部の底面へ向けていることを特徴とする。
【発明の効果】
【００１１】
本発明は、以上説明したように構成されているので、以下に記載されるような作用効果を奏する。
回転カムを回転させると、スライド駒が先ず傾斜面によって押し上げられて移動する。そして、更にスライド駒が突縁部によって押し上げられる際に、該スライド駒は、突縁部との接触箇所を後方へ滑らせる。
したがって、スライド駒が突縁部によって押し上げられる際における回転カムの回転抵抗を比較的小さくすることができる。しかも、従来技術のように係止凹部の幅を狭く設定する必要もないため、係止凹部とスライド駒との係合性を損なうこともない。
【発明を実施するための最良の形態】
【００１２】
以下、本発明の実施の形態を図面に基づいて説明する。
回転繰出し式筆記具１は、軸筒１０と、該軸筒１０内で前後方向へスライドするように設けられた複数のスライド駒２１，２２と、各スライド駒２１，２２の前端側に接続されたリフィール３１，３２と、各スライド駒２１，２２を軸筒後方へ付勢する付勢部材４０と、軸筒１０内で回動する傾斜面５１によって各スライド駒２１，２２を軸筒前方へ押し上げる回転カム５０とを備える。
そして、この回転繰出し式筆記具１は、回転カム５０に押し上げられた際の各スライド駒２１，２２を前記傾斜面５１前端側の係止凹部５２に係止して、各リフィール３１，３２前端の各筆記部３１ａ，３２ａを突出状態に維持する。
【００１３】
なお、スライド駒２１，２２及びリフィール３１，３２の数は、単数もしくは複数とすることが可能であるが、本実施の形態の好ましい一例によれば、ボールペン用リフィール３１を三本、シャープペンシル用リフィール３２を一本の計四本とし、そのことに対応して、ボールペン用リフィール３１に用いるスライド駒２１を一つ、シャープペンシル用リフィール３２に用いるスライド駒２２を三つ具備している。
【００１４】
軸筒１０は、前端側（図１によれば下端側）に先細状の先口部１１を有する略筒状の部材である。この軸筒１０は単一の筒状部材からなる態様であってもよいし、複数の筒状部材を接続してなる態様であってもよい。
この軸筒１０の径は、計四本のリフィール３１，３２を収納可能であって、且つ握り感触を損ねないように適宜に設定され、従来構造の回転繰出し式筆記具に計四本のリフィールを内在する場合と比較し、細身に形成されている。
なお、図中、軸筒１０後端側の符号９１はクリップ、符号９２は消しゴムを内在する尾栓である。
【００１５】
また、スライド駒２１，２２は、それぞれリフィール３１，３２後端に接続される接続部２１ａ，２２ａと、後述する回転カム５０に係合する係合部２１ｂ，２２ｂとから一体的に構成されている。
【００１６】
図１に示す一例によれば、一方の接続部２１ａは、スペーサ部材２１ｃを介してボールペン用リフィール３１に接続されるようになっている。
また、他方の接続部２２ａは、シャープペンシル用リフィール３２の後端部に対し直接的に接続されるようになっている。
【００１７】
また、一方の係合部２１ｂは、接続部２１ａに対し軸筒遠心方向へ突出するように設けられる。
そして、この係合部２１ｂは、図２に示すように、回転カム５０の傾斜面５１に対向する対向面２１ｂ１を有し、この対向面２１ｂ１の前端側を前記傾斜面５１に対し略点接触し、その点接触箇所を回転カム５０の突縁部５２ｂに押し上げられる際に後端側へ滑らせるように形成されている。
【００１８】
前記対向面２１ｂ１は、スライド駒２１の係合部２１ｂを、軸筒前方（図示例によれば下方）へ頂部を向けた平面視略二等辺三角形状に形成することで、その左右両側の側面部分にそれぞれ形成される。
【００１９】
より詳細に説明すれば、前記対向面２１ｂ１は、略平面視略直線状の直線状面部２１ｂ１１と、該直線状面部２１ｂ１１の前端側（図２によれば上端側）に連続する凸曲面部２１ｂ１２と、該凸曲面部２１ｂ１２に連続するとともに傾斜面５１から離間する方向へ延設された逃げ面部２１ｂ１３と、直線状面部２１ｂ１１の後端側（図２によれば下端側）に連続する係止曲部２１ｂ１４とから構成される。
【００２０】
直線状面部２１ｂ１１は、軸筒周方向に対する傾斜角度θ１を、回転カム５０の傾斜面５１の軸筒周方向に対する傾斜角度θ２よりも小さく設定した略直線状の部分である。
【００２１】
凸曲面部２１ｂ１２は、回転カム５０における略直線状の傾斜面５１に対し、略点接触するように形成された曲面部分である。
この点接触は図２の展開図に示すように軸筒周方向における点接触であればよいが、本実施の形態の好ましい一例では、軸筒径方向（図２における奥行き方向）においても略点接触となるようにしている。この構成によれば、スライド駒２１と回転カム５０との摩擦抵抗を、より軽減することができる。
【００２２】
逃げ面部２１ｂ１３は、回転カム５０に対し接触しないように形成される部分であり、図示例によれば、前記凸曲面部２１ｂ１２から前方へ延設されるとともに、軸筒１０の軸心と略平行する略直線状に形成される。
【００２３】
係止曲部２１ｂ１４は、左右両側の直線状面部２１ｂ１１を接続するようにして、係合部２１ｂの後端側（図２によれば下端側）に形成された円弧状の部分であり、回転カム５０の係止凹部５２に対する係脱性を良好にしている。
【００２４】
また、シャープペンシル用リフィール３２に対応するスライド駒２２は、前述したスライド駒２１と略同様の構成となるため図示を省略するが、詳細には、スライド駒２１の対向面２１ｂ１と略同構成の対向面（図示せず）を有し、この対向面について滑り方向の長さを、前記スライド駒２１の対向面２１ｂ１の滑り方向の長さＬ（詳細には略直線状面部２１ｂ１１の長さ）よりも短く形成している。
この構成によれば、ボールペン用リフィール３１の筆記部３１ａを突出させるために回転カム５０を回転させる操作と、シャープペンシル用リフィール３２の筆記部３２ａを突出させるために回転カム５０を回転させる操作とで、突縁部５２ｂに相対するスライド駒２１の滑り量を変化させることができ、ひいては、筆記者が、回転カム５０を回転させる際の操作感により、ボールペン用リフィール３１又はシャープペンシル用リフィール３２を選択して突出させることができる。
なお、前記とは逆に、シャープペンシル用リフィール３２に対応するスライド駒２２の前記対向面（図示せず）における滑り方向の長さを、ボールペン用リフィール３１用のスライド駒２１の対向面２１ｂ１の滑り方向の長さＬよりも長く形成してもよい。
更に他例としては、インク色の異なる複数種類のボールペン用リフィール３１について、スライド駒２１の対向面２１ｂ１の滑り方向の長さＬを変えて、筆記者が筆記部を視認することなく回転カム５０の操作感によりインク色を選択できるようにすることも可能である。
【００２５】
また、付勢部材４０は、ボールペン用リフィール３１とシャープペンシル用リフィール３２をそれぞれ後方へ付勢するようにして、軸筒１０内に係止されている。
【００２６】
また、回転カム５０は、筒部５３（図１参照）と、該筒部５３前端の基端部５３ａから山形状に突出する左右対称の傾斜面５１，５１（図２及び図３参照）と、これら傾斜面５１，５１の頂部側に形成された係止凹部５２とから構成される。
【００２７】
筒部５３は、周方向へ回動可能であるとともに軸方向へ移動不能となるように、軸筒１０内に係合した筒状の部材であり、外部に露出する部分（図示例によればクリップ５１等）が摘まれて回転操作されるようになっている。
この筒部５３の前端部は、リフィール３１，３２の没入状態を維持するための基端部５３ａとされる。この基端部５３ａは、後述する傾斜面５１の後端に接続された面であり、軸筒周方向へわたっている。
【００２８】
また、各傾斜面５１は、前記基端部５３ａに対し傾斜角度θ２の勾配で、斜め前方へ延設された斜面であり、図２及び図３に示す一例によれば展開図上において略直線状となるように形成されている。
【００２９】
また、係止凹部５２は、軸筒後方へ凹んだ底部５２ａと、該底部５２ａの端部側で、内側傾斜面５２ｃを介して軸筒前方へ突出するとともに回転カム５０の傾斜面５１に連続する突縁部５２ｂとを有し、スライド駒２１における係合部２１ｂの後端部に対し係脱するように形成される。
【００３０】
底部５２ａは、軸筒周方向へわたる平坦な面である。
内側傾斜面５２ｃは、底部５２ａの端部から斜め前方へ延びる略直線状の面である。この内側傾斜面５２ｃの軸筒周方向に対する傾斜角度θ３は、スライド駒２１の対向面２１ｂ１の軸筒周方向に対する傾斜角度θ２よりも若干小さく設定されている。この構成によれば、係止凹部５２に対しスライド駒２１をより深くまで係合させ易く、ひいては、係止凹部５２内にスライド駒２１を係合した際の安定性を向上することができる。
【００３１】
また、突縁部５２ｂは、前方へ突出する円弧状に形成され、その一端側を前記内側傾斜面５２ｃに接続するとともに、他端側を回転カム５０の傾斜面５１へ接続している。この突縁部５２ｂの形状によれば、スライド駒２１を係止凹部５２内へ係合する際の回転カム５０の回転抵抗を比較的小さくできる上、スライド駒２１を係止凹部５２外へ離脱する際の回転カム５０の回転抵抗も比較的小さくすることができる。
【００３２】
次に、上記構成の回転繰出し式筆記具１について、その特徴的な作用効果を詳細に説明する。
外部からの操作により回転カム５０が軸筒周方向へ回転されると、スライド駒２１が、回転する回転カム５０の傾斜面５１に押し上げられて、軸筒前方へ移動する。更に、スライド駒２１は、傾斜面５１前端の突縁部５２ｂに押し上げられる。
【００３３】
前記スライド駒２１の動きを、回転カム５０に相対する動きとして説明すれば、先ず、スライド駒２１は、図３に示すように、傾斜面５１を略直線的に上るようにして移動する。この際、スライド駒２１は、対向面２１ｂ１前端側の凸曲面部２１ｂ１２を傾斜面５１に対し略点接触させて、前記傾斜面５１上を移動する。
【００３４】
次に、スライド駒２１は、突縁部５２ｂを乗り越えようとする際に、突縁部５２ｂとの点接触箇所を、該スライド駒２１における対向面２１ｂ１の前端側から後端側へ滑らせる。より詳細に説明すれば、対向面２１ｂ１前端側の凸曲面部２１ｂ１２と傾斜面５１と点接触が、直線状面部２１ｂ１１と突縁部５２ｂとの点接触に変化する。
【００３５】
そして、スライド駒２１は、前記点接触箇所を対向面２１ｂ１の後端側に位置した状態で、突縁部５２ｂを乗り越え、係止凹部５２に嵌り合う。
スライド駒２１が係止凹部５２に嵌まり合った状態では、図２において二点差線で示されるように、スライド駒２１における係合部２１ｂの後端側頂部が、係止凹部５２における底部５２ａに当接する。この状態において、スライド駒２１の対向面２１ｂ１と、係止凹部５２の内側傾斜面５２ｃとの間には、若干の隙間（余裕空間）が確保される。
【００３６】
よって、回転カム５０の単位回転量あたりのスライド駒２１の軸筒前方への移動量は、前記のようにしてスライド駒２１が突縁部５２ｂを乗り越える前では略一定量となるが、スライド駒２１が突縁部５２ｂを乗り越えようとする際には、前述した滑りによって減少する。
そのため、回転カム５０の回転抵抗が減少し、回転カム５０を回転操作する際の操作感を向上することができる。しかも、前記滑りにより、突縁部５２ｂを乗り越える際のスライド駒２１の移動量が比較的小さくなるため、スライド駒２１が急激に移動して係止凹部５２に係止されずに該係止凹部５２を乗り越えてしまうようなことを防ぐことができ、スライド駒２１と係止凹部５２との係合性が良好である。
【００３７】
次に、前述した回転カム５０の回転抵抗の減少を、図４および計算式を用いて、幾何学的に説明する。
図４（ａ）は、スライド駒２１の対向面２１ｂ１の前端側が傾斜面５１に接触した状態を示す模式図である。
図中、矢印Ｆは、付勢部材４０の付勢力が回転カム５０に対し作用した力を示す。この力は、回転カム５０の傾斜面５１に対する垂直方向の力としてあらわされる。
矢印Ｆｎと矢印Ｆｓは、それぞれ前記矢印Ｆの分力を示す。
矢印Ｓは、スライド駒２１が傾斜面５１を上ろうとする力を示す。この矢印Ｓの力は、前記矢印Ｆｓの力の反力となる。
角度２θは、回転カム５０における左右の傾斜面５１，５１間の角度を示す。
角度２Φは、スライド駒２１における左右の対向面２１ｂ１，２１ｂ１間の角度を示す。
【００３８】
図４（ａ）に示す状態において、スライド駒２１と傾斜面５１間の摩擦係数をμとすれば、以下の（１）式が成り立つ。
Ｓ＝Ｆｓ＋μＦｎ＝Ｆｃｏｓθ＋μｓｉｎθ・・・（１）
ここで、前記摩擦係数μを無視すれば、以下の（２）式が成り立つ。
Ｓ＝Ｆｃｏｓθ・・・（２）
【００３９】
また、図４（ｂ）は、傾斜面５１前端側に対するスライド駒２１の接触点が該スライド駒２１の後端側へ移動した状態を示す模式図である。
図中、矢印Ｆは、付勢部材４０の付勢力が回転カム５０に対し作用した力を示す。この力は、スライド駒２１の対向面２１ｂ１（詳細には直線状面部２１ｂ１１）に対する垂直方向の力としてあらわされる。
矢印Ｆαｙと矢印Ｆαｘは、それぞれ前記矢印Ｆの分力を示す。
矢印Ｓ’は、スライド駒２１が傾斜面５１を上ろうとする力を示す。この矢印Ｓの力は、矢印Ｆｓ’で示す力の反力となる。
矢印Ｆｓ”は、前記Ｆαｙについて傾斜面５１に沿う方向の分力である。
矢印Ｆｓ’は、前記Ｆαｘについて傾斜面５１に沿う方向の分力である。
一点鎖線で示すＬ１−Ｌ１は、スライド駒２１における左右の対向面２１ｂ１，２１ｂ１間の角度を二等分する直線である。
一点鎖線で示すＬ２−Ｌ２は、回転カム５０における左右の傾斜面５１，５１間の角度を二等分する直線であり、Ｌ１−Ｌ１に平行する。
角度Φは、二等分線Ｌ１−Ｌ１と対向面２１ｂ１との間の角度である。Ｌ１−Ｌ１とＬ２−Ｌ２が平行であるため、Ｌ２−Ｌ２と対向面２１ｂ１との間の角度もΦとなる。
角度θは、二等分線Ｌ２−Ｌ２と傾斜面５１との間の角度である。
角度αは、矢印Ｆと傾斜面５１との間の角度である。
角度βは、矢印Ｆαｙと矢印Ｆｓ”との間の角度であり、且つ、矢印Ｆｓ’に直交する直線と二等分線Ｌ２−Ｌ２との間の角度でもある。すなわち、図４（ｂ）中において、この角度βを有する二つの三角形は相似である。
【００４０】
図４（ｂ）に示す状態においては、以下の（３）式が成り立つ。
Ｓ’＝Ｆｓ’−Ｆｓ”・・・（３）
付勢部材４０の付勢力Ｆは、スライド駒２１の対向面２１ｂ１に対し、略垂直に発生する。以下に、前記付勢力Ｆの分力からＦｓ’、Ｆｓ”を求める。
【００４１】
二等分線Ｌ２−Ｌ２に対し平行な分力Ｆαｘと垂直な分力Ｆαｙを、それぞれ求めると、以下の（４）式と（５）式のようになる。
Ｆαｘ＝Ｆｃｏｓ（α＋θ）・・・（４）
Ｆαｙ＝Ｆｓｉｎ（α＋θ）・・・（５）
【００４２】
ＦαｘとＦαｙについて、それぞれ傾斜面５１方向の分力Ｆｓ’、Ｆｓ”を求めれば、以下の（６）式と（７）式のようになる。
Ｆｓ’＝Ｆαｘｃｏｓθ＝Ｆｃｏｓ（α＋θ）×ｃｏｓθ・・・（６）
Ｆｓ”＝Ｆαｙｃｏｓβ＝Ｆｓｉｎ（α＋θ）×      ｃｏｓβ・・・（７）
【００４３】
図４（ｂ）中、対向面２１ｂ１と矢印Ｆが直角であるから、以下の（８）（９）式が成り立つ。
Φ＋θ＋α＝π／２・・・（８）
∴α＝π／２−Φ−θ・・・（９）
同図中、角度βを有する三角形において以下の（１０）（１１）式が成り立つ。
θ＋β＝π／２・・・（１０）
∴β＝π／２−θ・・・（１１）
【００４４】
前記（６）（７）式のＦｓ’とＦｓ”に対し、それぞれ前記（９）（１１）式のαとβを代入すれば、以下の（１２）（１３）式が成り立つ。
Ｆｓ’＝Ｆｃｏｓ（π／２−Φ）×ｃｏｓθ・・・（１２）
Ｆｓ”＝Ｆｓｉｎ（π／２−Φ）×ｃｏｓ（π／２−θ）・・・（１３）
【００４５】
ここで、例えば、角度θ＝２０゜、角度Φ＝２７゜とし、（２）（１２）（１３）（３）式より、Ｓ（＝Ｆｓ）、Ｆｓ’、Ｆｓ”、Ｓ’（＝Ｆｓ’−Ｆｓ”）を求めれば、それぞれ以下の数値になる。
Ｓ＝０．９４×Ｆ
Ｆｓ’＝０．４３×Ｆ
Ｆｓ”＝０．３０×Ｆ
Ｓ’＝０．１２×Ｆ
【００４６】
すなわち、スライド駒２１の進行方向の力Ｓ，Ｓ’は、スライド駒２１が図４（ａ）の状態から図４（ｂ）の状態に移動した際に小さくなり、前記計算例によれば約１３％程度になる。よって、回転カム５０の回転抵抗も小さくなる。
【００４７】
なお、上記実施の形態によれば、回転カム５０の両側に傾斜面５１，５１を設けて回転カム５０の前部側を略山形状に構成し、一方の傾斜面５１に押し上げられて前進したスライド駒２１が、他方の傾斜面５１に沿って後退するようにしたが、他例としては、前記傾斜面５１，５１の内の一方を省き、単一の傾斜面５１により押し上げられて前進したスライド駒２１が、回転カム５０の逆方向の回転により同傾斜面５１に沿って後退する構成とすることも可能である。この場合には、スライド駒２１の対向面２１ｂ１，２１ｂ１も、その一方を省くことが可能である。
【図面の簡単な説明】
【００４８】
【図１】本発明に係わる回転繰出し式筆記具の一例を示す断面図である。
【図２】スライド駒の一例を示す拡大図である。
【図３】スライド駒が回転カムによって押し上げられている状態を示す模式図である。
【図４】（ａ）はスライド駒が傾斜面に接触した状態を示す模式図であり、（ｂ）はスライド駒が突縁部に接触した状態を示す模式図である。
【図５】従来の回転繰出し式筆記具において、スライド駒が回転カムによって押し上げられている状態を示す模式図である。
【符号の説明】
【００４９】
１：回転繰出し式筆記具                    １０：軸筒
２１，２２：スライド駒                    ２１ｂ１：対向面
４０：付勢部材                            ５０：回転カム
２１：スライド駒                          ５１：傾斜面
５２：係止凹部                            ３１：ボールペン用リフィール
３２：シャープペンシル用リフィール        ３１ａ，３２ａ：筆記部
５２ａ：底部                              ５２ｂ：突縁部
【図１】
2009154458.tif 000003
【図２】
2009154458.tif 000004
【図３】
2009154458.tif 000005
【図４】
2009154458.tif 000006
【図５】
2009154458.tif 000007